【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】ａ）酸化的、熱的、光−もしくはオゾン誘発性崩壊を受けやすい淡色のポリジエン加硫物または淡色のハロゲン含有ポリジエン加硫物、および
ｂ）安定剤として、少なくとも１種のベンゾフラノ−２−オン型の化合物からなる組成物。
【請求項２】成分（ｂ）が式（Ｉ）
【化１】
1999263873.tif 000001
〔式中、ｎは１または２を表し；
ｎが１であるとき、
Ｒ1は未置換の、または炭素原子数１ないし４のアルキル基で、炭素原子数１ないし４
のアルコキシ基で、炭素原子数１ないし４のアルキルチオ基で、ヒドロキシ基で、ハロゲン原子で、アミノ基で、炭素原子数１ないし４のアルキルアミノ基で、フェニルアミノ基でもしくはジ（炭素原子数１ないし４のアルキル）−アミノ基で置換された、ナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］チエニル基、チアントレニル基、ジベンゾフリル基、クロメニル基、キサンテニル基、フェノキサチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、
キノリル基、フタルアジニル基、ナフチリジニル基、キノキサリニル基、キナゾリニル基、シンノリル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基またはフェノキサジニル基を表すか、あるいはＲ1
は式ＩＩ
【化２】
1999263873.tif 000002
で表される基を表し、ならびに；
ｎが２であるとき、Ｒ1は未置換のもしくは炭素原子数１ないし４のアルキル基により
もしくはヒドロキシ基により置換されたフェニレン基、またはナフチレン基を表すか；または−Ｒ12−Ｘ−Ｒ13−（基中、Ｘは直接結合；酸素原子、硫黄原子でもしくは−ＮＲ31−を表す。）を表し；
Ｒ2、Ｒ3、Ｒ4およびＲ5はおのおの互いに独立して水素原子、塩素原子、ヒドロキシ基、炭素原子数１ないし２５のアルキル基、炭素原子数７ないし９のフェニルアルキル基、未置換のもしくは炭素原子数１ないし４のアルキル基で置換されたフェニル基、未置換のもしくは炭素原子数１ないし４のアルキル基で置換された炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基、炭素原子数３ないし２５のアルケノイルオキシ基；酸素原子、硫黄原子でもしくは＞Ｎ−Ｒ14で中断された炭素原子数３ないし２５のアルカノイルオキシ基；炭素原子数６ないし９のシクロアルキルカルボニルオキシ基、ベンゾイルオキシ基または炭素原子数１ないし１２のアルキル基で置換されたベンゾイルオキシ基を表し；あるいは
基Ｒ2およびＲ3または、基Ｒ3およびＲ4または基Ｒ4およびＲ5は、それらが結合している炭素原子と一緒になって、ベンゾ環を形成し；
Ｒ4はさらに−（ＣＨ2) p−ＣＯＲ15または−（ＣＨ2) qＯＨ（式中、ｐは０、１また
は２を表し；ｑは１、２、３、４、５および６を表す。）を表すこともでき；あるいはＲ3、Ｒ5およびＲ6が水素原子を表す場合、Ｒ4はさらに式ＩＩＩ
【化３】
1999263873.tif 000003
（式中、Ｒ1はｎ＝１に対して上記で定義されたと同じ意味を表す。）で表される基を表
し；
Ｒ6は水素原子または式ＩＶ
【化４】
1999263873.tif 000004
（式中、Ｒ4は式ＩＩＩを表さずおよびＲ1はｎ＝１に対して上記で定義されたと同じ意味を表す。）で表される基を表し；
Ｒ7、Ｒ8、Ｒ9、Ｒ10およびＲ11はおのおの互いに独立して水素原子、ハロゲン原子、
ヒドロキシ基、炭素原子数１ないし２５のアルキル基；酸素原子、硫黄原子でもしくは＞Ｎ−Ｒ14で中断された炭素原子数２ないし２５のアルキル基；炭素原子数１ないし２５のアルコキシ基；酸素原子、硫黄原子でもしくは＞Ｎ−Ｒ14で中断された炭素原子数２ないし２５のアルコキシ基；炭素原子数１ないし２５のアルキルチオ基、炭素原子数３ないし２５のアルケニル基、炭素原子数３ないし２５のアルケニルオキシ基、炭素原子数３ないし２５のアルキニル基、炭素原子数３ないし２５のアルキニルオキシ基、炭素原子数７ないし９のフェニルアルキル基、炭素原子数７ないし９のフェニルアルコキシ基、未置換のもしくは炭素原子数１ないし４のアルキル基で置換されたフェニル基、未置換のもしくは炭素原子数１ないし４のアルキル基で置換されたフェノキシ基；未置換のもしくは炭素原子数１ないし４のアルキル基で置換された炭素原子数５ないし８のシクロアルキル基；未置換のもしくは炭素原子数１ないし４のアルキル基で置換された炭素原子数５ないし８のシクロアルコキシ基；炭素原子数１ないし４のアルキルアミノ基、ジ（炭素原子数１ないし４のアルキル）アミノ基、炭素原子数１ないし２５のアルカノイル基；酸素原子、硫黄原子でもしくは＞Ｎ−Ｒ14で中断された炭素原子数３ないし２５のアルカノイル基；炭素原子数１ないし２５のアルカノイルオキシ基；酸素原子、硫黄原子でもしくは＞Ｎ−Ｒ14で中断された炭素原子数３ないし２５のアルカノイルオキシ基；炭素原子数１ないし２５
のアルカノイルアミノ基、炭素原子数３ないし２５のアルケノイル基；酸素原子、硫黄原子でもしくは＞Ｎ−Ｒ14で中断された炭素原子数３ないし２５のアルケノイル基；炭素原子数３ないし２５のアルケノイルオキシ基；酸素原子、硫黄原子でもしくは＞Ｎ−Ｒ14で中断された炭素原子数３ないし２５のアルケノイルオキシ基；炭素原子数６ないし９のシクロアルキルカルボニル基、炭素原子数６ないし９のシクロアルキルカルボニルオキシ基、ベンゾイル基または炭素原子数１ないし１２のアルキルで置換されたベンゾイル基；ベンゾイルオキシ基または炭素原子数１ないし１２のアルキルで置換されたベンゾイルオキシ基；
【化５】
1999263873.tif 000005
を表すか、また、式ＩＩ中、基Ｒ7およびＲ8または基Ｒ8およびＲ11は、それらが結合し
ている炭素原子と一緒になって、ベンゾ環を形成し、
Ｒ12およびＲ13はおのおの互いに独立して未置換のもしくは炭素原子数１ないし４のアルキル基で置換されたフェニレン基またはナフチレン基を表し；
Ｒ14は水素原子または炭素原子数１ないし８のアルキル基を表し；
Ｒ15はヒドロキシ基、
【化６】
1999263873.tif 000006
（基中、Ｍはｒ-価の金属カチオンを表し、およびｒは１、２もしくは３を表す。）、炭
素原子数１ないし１８のアルコキシ基または
【化７】
1999263873.tif 000007
を表し；
Ｒ16およびＲ17はおのおの互いに独立して水素原子、ＣＦ3、炭素原子数１ないし１２
のアルキル基またはフェニル基を表すか、あるいはＲ16およびＲ17は結合している炭素原子と一緒になって、未置換のもしくは１ないし３個の炭素原子数１ないし４のアルキル基により置換された炭素原子数５ないし８のシクロアルキリデン環を形成し；
Ｒ18およびＲ19はおのおの互いに独立して、水素原子、炭素原子数１ないし４のアルキル基、フェニル基を表し；
Ｒ20は水素原子または炭素原子数１ないし４のアルキル基を表し；
Ｒ21は水素原子、未置換のもしくは炭素原子数１ないし４のアルキル基で置換されたフ
ェニル基、炭素原子数１ないし２５のアルキル基；酸素原子、硫黄原子でもしくは＞Ｎ−Ｒ14で中断された炭素原子数２ないし２５のアルキル基；未置換のもしくはフェニル基において１ないし３個の炭素原子数１ないし４のアルキル基で置換された炭素原子数７ないし９のフェニルアルキル基；酸素原子、硫黄原子でもしくは＞Ｎ−Ｒ14で中断され、かつ、未置換のもしくはフェニル基において１ないし３個の炭素原子数１ないし４のアルキル基で置換された炭素原子数７ないし２５のフェニルアルキル基を表し；あるいはＲ20およびＲ21はそれらが結合している炭素原子と一緒になって、未置換のもしくは１ないし３個の炭素原子数１ないし４のアルキル基により置換された炭素原子数５ないし１２のシクロアルキレン環を形成し；
Ｒ22は水素原子または炭素原子数１ないし４のアルキル基を表し；
Ｒ23は水素原子、炭素原子数１ないし２５のアルカノイル基、炭素原子数３ないし２５のアルケノイル基；酸素原子、硫黄原子でもしくは＞Ｎ−Ｒ14で中断された炭素原子数３ないし２５のアルカノイル基；ジ（炭素原子数１ないし６のアルキル）−ホスホネート基により置換された炭素原子数２ないし２５のアルカノイル基；炭素原子数６ないし９のシクロアルキルカルボニル基、テノイル基、フロイル基、ベンゾイル基または炭素原子数１ないし１２のアルキルで置換されたベンゾイル基；
【化８】
1999263873.tif 000008
（基中、ｓは０、１または２を表す。）を表し；
Ｒ24およびＲ25はおのおの互いに独立して水素原子または炭素原子数１ないし１８のアルキル基を表し；
Ｒ26は水素原子または炭素原子数１ないし８のアルキル基を表し；
Ｒ27は直接結合、炭素原子数１ないし１８のアルキレン基；酸素原子、硫黄原子でもしくは＞Ｎ−Ｒ14で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、炭素原子数７ないし８のビシクロアルキレン基、未置換のもしくは炭素原子数１ないし４のアルキル基で置換されたフェニレン基、基
【化９】
1999263873.tif 000009
を表し；
Ｒ28はヒドロキシ基、
【化１０】
1999263873.tif 000010
、炭素原子数１ないし１８のアルコキシ基または
【化１１】
1999263873.tif 000011
を表し；
Ｒ29は酸素原子、−ＮＨ−または
【化１２】
1999263873.tif 000012
を表し；
Ｒ30は炭素原子数１ないし１８のアルキル基またはフェニル基を表し；
Ｒ31は水素原子または炭素原子数１ないし１８のアルキル基を表す。〕で表される化合物である請求項１記載の組成物。
【請求項３】成分（ａ）および（ｂ）に加えて他の添加剤をさらに含む請求項１記載の組成物。
【請求項４】他の添加剤としてフェノール系酸化防止剤、アミン系酸化防止剤、有機ホスフィットもしくはホスホナイトおよび／またはチオ相乗剤を含む請求項３記載の組成物。